(57)【要約】      （修正有）【課題】高齢者でも、温湿度計の目盛りを確認することなく温度変化を容易に認識できる安価な小物類吊り下げ用フックを提供する。【解決手段】小物類吊り下げ用フック１０は、釣針状のフック本体１１と、フック本体の先端部と基部１２間の開口部を閉鎖するフック片１３を有し、小物類吊り下げ用フックの一部あるいは全部が、温度変化によって可逆的に色彩が変化するロイコ色素、顕色性物質及び変色温度調整剤からなる感温変色性組成物を含む熱可塑性樹脂で構成されている。小物類吊り下げ用フックに、分離可能な収納具３０を取り付けるのが好ましい。【選択図】図１
0003195385.tif 000002
【実用新案登録請求の範囲】
【請求項１】
小物類吊り下げ用フックであって、前記フックは、基部と釣針状のフック本体とフック片を有し、前記フック片の先端部はフック本体の先端部と係合可能であり、かつ前記小物類吊り下げ用フックの全部あるいはその一部が温度変化によって可逆的に色彩が変化する感温変色性組成物を含む合成樹脂よりなることを特徴とする小物類吊り下げ用フック。
【請求項２】
小物類吊り下げ用フックに、収納具を取り付けたことを特徴とする請求項１記載の小物類吊り下げ用フック。
【請求項３】
収納具は分離可能であることを特徴とする請求項２記載の小物類吊り下げ用フック。
【考案の詳細な説明】
【技術分野】
【０００１】
本考案は、温度変化を感知することのできる小物類吊り下げ用フックに関するものである。
【背景技術】
【０００２】
気温が低下すると、風邪をひいたり、あるいはインフルエンザに罹患しやすくなるために一定の気温以下では重ね着するなどの衣服の調節や暖房機器を使用する、あるいはマスクを着用するなどの防御策を講じることが望まれる。特に高齢者においては、気温の変化に対して感知することが難くなり、さらに温度が低下すると低体温症の懸念を生じる場合がある。
【０００３】
一方で近年、地球温暖化に伴い、熱中症の患者が増えている。特に高齢者は、汗をかきにくくなるために、体内に熱がこもりがちになり、体温を下げることができなくなる。 また、皮膚の温度の上昇に対して感知することが難しくなるために、暑さを自覚しにくくなり、衣服の調節や冷房器具の利用の遅れにより体温調節が十分でない場合がある。
【０００４】
これを解決するものとして、実用新案登録第３１８１５４４号公報において、温度計測部材によって駆動されて旋回角度により温度変化を示す温度指針と、湿度計測部材によって駆動されて旋回角度により湿度変化を示す湿度指針と、前記温度指針と前記湿度指針とが旋回可能に設けられる表示パネルと、該表示パネル上における前記温度指針の旋回軸の設置位置に対する部位に設けられて前記温度指針の旋回角度に対応した温度値を表示する温度表示部と、前記表示パネル上における前記湿度指針の旋回軸の設置位置に対する部位に設けられて前記湿度指針の旋回角度に対応した湿度値を表示する湿度表示部を備え、前記表示パネル上における前記温度表示部と前記湿度表示部の間に、インフルエンザウイルスが発生しやすい温度と湿度との組み合わせを色表示するインフルエンザウイルス発生警告表示領域と、熱中症が発生しやすい温度と湿度との組み合わせを色表示する熱中症発生警告表示領域と、前記両領域以外の無警告領域とを設け、前記温度指針と前記湿度指針とが交差する前記表示パネル上の前記発生領域によって、インフルエンザウイルス流行状態か熱中症発生状態か無警告状態かを視認可能にしたことを特徴とする温湿度計が開示されている。
【０００５】
上記温湿度計によれば、温度指針と湿度指針とが交差する点が、インフルエンザウイルス発生警告表示領域あるいは熱中症発生警告表示領域であるか否かを確認することができれば、重ね着をするなどの衣服の調節をする、または冷房を入れるあるいは直射日光を避けるなどの行動を促すことができるが、高齢者にはその温湿度計の目盛を確認することが困難な場合がある。また、当該温湿度計は、高齢者にとって日常使用するものではないために、温度変化を感知する機能が衰えた高齢者に当該温湿度計を確認させるということについて、日常において習慣づけられていない場合にそれを怠る恐れがある。また、比較的高価なために、複数個の上記温湿度計を用意して、行動範囲の及ぶ場所すべてに配置することができないという問題がある。
【０００６】
そこで、温度指針と湿度指針とが交差する点を確認することなく低温であるか否かあるいは高温であるか否かを認識することができれば高齢者についても温度管理が容易でインフルエンザや風邪等あるいは低体温症、また、熱中症になる危険を避けることができる。例えば、高齢者が日常使用するもので温度変化を確認することができれば、日常生活においても普段から見落とす恐れがない。特に小物類吊り下げ用フックであれば、カバン等などに取り付けて持ち運びが容易であり、日常目にする機会が多いというものである。また携帯することも可能である。
【先行技術文献】
【特許文献】
【０００７】
【特許文献１】実用新案登録第３１８１５４４号公報
【考案の概要】
【考案が解決しようとする課題】
【０００８】
本考案の課題は、高齢者であっても、比較的安価で温度指針と湿度指針とが交差する点を確認することなく温度が低下するあるいは温度が上昇するなどの温度変化を容易に認識できる小物類吊り下げ用フックを提供することである。
【課題を解決するための手段】
【０００９】
前記の課題を解決するため、本考案は、小物類吊り下げ用フックであって、前記フックは、基部と釣針状のフック本体とフック片を有し、前記フック片の先端部はフック本体の先端部と係合可能であり、かつ前記小物類吊り下げ用フックの全部あるいはその一部が温度変化によって可逆的に色彩が変化する感温変色性組成物を含む合成樹脂よりなるという手段を講じたものである。
【００１０】
このように、少なくとも小物類吊り下げ用フックの全部あるいは一部が温度変化によって可逆的に色彩が変化する感温変色性組成物を含む合成樹脂よりなるというものであれば、日常において目にする機会が多く見逃すという可能性は低い。従って室内のみならず外出する際にもカバン類に取り付けることができ、また身に着けることができる。よって当該小物類吊り下げ用フックを常に身の回りの置くことができるので温度変化を確実に知ることができる。
【００１１】
小物類吊り下げ用フックの全部あるいは一部とは、小物類吊り下げ用フック全体をこの合成樹脂で構成するのみならず、該小物類吊り下げ用フックを構成している基部と釣針状のフック本体または、フック片のいずれか、あるいはそれらの一部であっても好ましい。
【００１２】
ここで温度変化によって可逆的に色彩が変化するとは、色相が変化するのみならず、明度あるいは彩度が変化することを含むものである。したがって、本考案に係る小物類吊り下げ用フックの全部あるいは一部が無彩色であれば、温度の上昇に伴い、低温域では黒色から徐々に変化し高温域では白色まで無段階に変化するものである。また、有彩色をベースにしたものであれば、同様に温度の上昇に伴い濃い有彩色から薄い有彩色に無段階に変化するものである。また、一定の温度域で発色する色をオレンジ色にした場合に、その温度域を離れ、低温度域になるのに従い、徐々に濃い色である黒とオレンジ色の混合色のような赤錆色に変化し、逆にその一定の温度域から高温度域になるに従い、そのオレンジ色から徐々に黄色みがかったオレンジ色に変化するというものである。従って濃い色である黒とオレンジ色の混合色である赤錆色に変化した場合は、気温が低下していることを示すものであるから、衣服を重ね着するなどの調節や空調設備を利用する、あるいは、マスクを着用するなどの防御策を講じることができる。また、黄色みを帯びたオレンジ色を示す場合は、熱中症になる温度に達していると認識することができるので、室内にいる場合は冷房をつけるあるいは、衣服を薄手のものに変更する、または、水分を補給するなどの適切な対応をとることができる。
【００１３】
もっとも、様々な温度域を選択可能であり、もっとも鮮やかに発色する温度域を例えば、およそ摂氏１度から１２度としたときに、鮮やかに発色した場合に、温度が低下したことを認知させることもできる。例えば本来発色する色を青色とした場合に、使用者が小物類吊り下げ用フックの全部あるいは一部が青色であることを認識すると、およそ摂氏１２度以下に温度が低下したことを認識することができる。また、鮮やかに発色する温度域をたとえば、およそ、１６度から２６度にすると、快適な温度域で青色を発色することになる。したがってそれ以下の温度に低下すると、徐々に色が濃くなっていき、例えば使用者に暖房器具の使用を促すことができる。逆にそれ以上温度が上昇すると発色した色が薄くなるので、使用者に冷房器具の使用を促すことができる。ここで鮮やかに発色するとは本来意図した色彩が発色するということであり、この温度域を外れると高温域では色が薄くなり、低温域では色が濃くなったり黒ずんだりするようになるものである。
【００１４】
ここで、感温変色性組成物とは公知の組成物であり、例えばロイコ色素、顕色性物質及び変色温度調整剤からなるものを使用することができる。これを公知の方法でマスターバッジとし、後述の合成樹脂類と公知の方法で混合することで得た感温変色性のカラーペレットを使用することが好ましい。また、上記合成樹脂は、熱可塑性樹脂が好ましい。いわゆる成形品とすることができるからである。とくに、ポリプロピレンが好ましい。
【００１５】
上記小物類吊り下げ用フックに小物収納具を取り付けたことを特徴とする小物類吊り下げ用フックという手段を講じたものである。小物収納具には、たとえば合羽やポンチョなどの雨具を折りたたんで収納することができる。また、小物収納具を分割可能に構成することも好ましい。収納が容易になるからである。
【考案の効果】
【００１６】
本考案は以上のように構成され、かつ、作用するものであり、室内のみならず、外出時であっても比較的安価で温度指針と湿度指針とが交差する点を確認することなく温度変化を認識できる小物類吊り下げ用フックを提供することができるので温度変化に対する適切な措置を講じることができる。特に、気温上昇による熱中症や、気温低下による風邪等に対する適切な措置を講じることができる。特に自動車内の温度上昇に気付くのが遅れると、高齢者や乳幼児に至っては熱中症になる可能性が高いので適切な措置を講じることでそれを防止することができる。
【図面の簡単な説明】
【００１７】
【図１】小物類吊り下げ用フックと収納具の斜視図
【図２】小物類吊り下げ用フックが開いた状態の当該小物類吊り下げ用フックと収納具の平面図
【図３】収納具を分離した状態の斜視図
【考案を実施するための最良の形態】
【００１８】
小物類吊り下げ用フック１０は、釣針状のフック本体１１と、フック本体１１の先端部１１ａと基部１２間の開口部１４を閉鎖するようにフック片１３を有している。本実施例においては、釣針状のフック本体１１と、基部１２およびフック片１３は一体化されており、それれは、温度変化によって可逆的に色彩が変化する感温変色性組成物を含む合成樹脂で構成されている。
【００１９】
また、小物類吊り下げ用フック１０において、通常は、フック本体１１の先端部１１ａとフック片１３の先端部１３ａが互いに、それぞれ凸凹状及び凹凸状を呈しているのでフック本体１１の先端部１１ａとフック片１３の先端部１３ａが係合している。また、フック本体１１とフック片１３がそれぞれ基部１２と接続され、釣針状のフック本体１１と基部１２とフック片１３を有する当該小物類吊り下げ用フック１０がいわゆるナス環状に構成されている。このような小物類吊り下げ用フック１０におけるフック片１３を押圧すれば、該フック片１３が弾性変形して、フック本体１１の先端部１１ａとフック片１３の先端部１３ａとの係合が解かれて、図示しないカバン類や衣服にフック１０を取り付けることができる。
【００２０】
本実施例においては、フック本体１１と基部１２およびフック片１３と一体をなすように温度変化によって可逆的に色彩が変化する感温変色性組成物を含む合成樹脂で構成されているために、小物類吊り下げ用フック１０全体の色彩が温度によって変化する。もっとも、フック本体１１、基部１２、フック片１３を単独で構成し、そのうちいずれか１つ以上を上記合成樹脂で構成しても好ましい。また、フック本体１１、基部１２、フック片１３のいずれかの一部のみを上記温度変化によって可逆的に色彩が変化する感温変色性組成物を含む合成樹脂で構成しても好ましい。
【００２１】
小物類吊り下げ用フック１０は、上記のように温度変化によって可逆的に色彩が変化する感温変色性組成物を含む合成樹脂で構成されているが、その感温変色性組成物とは公知の組成物であり、例えばロイコ色素、顕色性物質及び変色温度調整剤からなるものを使用することができる。なお、感温変色性組成物をたとえば公知の方法により乾燥させたのちに粉末化し、これを熱可塑性樹脂などと混練することで、高濃度にそれらが配合されたマスターバッジが得られ、これに熱可塑性樹脂と混合することでカラーペレットが得られる。それを公知の方法で成形することで、上記小物類吊り下げ用フック１０が得られる。なお、長期に渡って変色機能を持続させるために公知の可逆感温変色性組成物をマイクロカプセル化する公知の方法を採用することが好ましい。
【００２２】
なお、熱可塑性樹脂は、ポリエチレン樹脂、ポリエステル樹脂、ポリプロピレン樹脂、ポリスチレン樹脂、アクリル樹脂、スチレンブタジエン樹脂、スチレンブタジエンアクリロニトリル樹脂、アクリルスチレン樹脂、エチレンアクリル樹脂、スチレンイソプレン樹脂、ウレタン樹脂、ポリエステル樹脂、ポリカーボネート樹脂、ナイロン樹脂、エチレン酢酸ビニル樹脂、ポリアセタール樹脂、塩化ビニル樹脂を使用することができるが、これらに限定されるものではない。なお、このうちポリプロピレン樹脂が好ましい。
【００２３】
温度変化によって可逆的に色彩が変化する感温変色性組成物を含む合成樹脂の小物類吊り下げ用フック１０は、色相が変化するのみならず、明度あるいは彩度が変化することを含むものである。したがって、上記合成樹脂の色彩が無彩色であれば、温度の上昇に伴い黒色から白色まで無段階に変化するものであり、例えば、あらかじめ上記合成樹脂の色彩を高彩度の色調をベースにしたものであれば、同様に温度の上昇に伴い濃い色から徐々に薄い色に変化するものである。
【００２４】
また、例えば、一定の温度域でオレンジ色を本来発色する色彩とした場合においては、一定の温度域以下では、ほぼ濃い色である黒色に近いオレンジ色の赤錆色であったものが、温度の上昇とともに、徐々に黒色が消色し、一定の温度域に到達すると本来のオレンジ色に変化する。さらに温度が上昇し、発色する温度域から外れると本来のオレンジ色から、赤みが消え黄色を帯びたオレンジ色に移行するものである。それとは逆に、温度が下がり、オレンジ色を発色する一定の温度域から外れると徐々に赤錆色に変化するという可逆的変化を奏するものである。
【００２５】
したがって、発色する温度をたとえば、およそ摂氏２４度から３３度に設定した場合において、およそ摂氏５度では、濃い色である黒色を帯びたオレンジ色である赤錆色に変化する。このように吊り下げ用フック１０が赤錆色であることを確認すれば、温度が低いことを認識することができる。よって、これを見た使用者が、重ね着をするあるいはマスクをする等の対策を講じることができる。
【００２６】
なお可逆的に変化するとは、ある温度範囲における温度が同じ温度であっても、温度の上昇時にその温度になったのかあるいは下降時にその温度になったのかの履歴状態の相違により２つの異なった発色状態が出現するいわゆるヒステリシス変色現象をも含むものである。例えば、同じ温度であってもオレンジ色を発色する場合に温度の下降時には黒味が少ないオレンジ色であったものが温度の上昇時には黒味が多いオレンジ色を呈する場合も可逆的に変化するということに含まれる。なお、２つの異なった発色状態といってもその差は大きくなく、さらに、温度が十分に低下した場合あるいは十分に上昇した場合にほぼその差は解消されるものである。
【００２７】
また、上記の発色する温度をおよそ摂氏２４度から３３度に設定した場合において、３３度以上に温度が上昇するにしたがって、黄色みを帯びオレンジ色に変化することで、これを見た使用者が熱中症になる可能性が高いことを認識することができるので、冷房を入れたり、水分を補給するなどの対策をとることができる。特に高温になりやすい場所、例えば、夏季の自動車内において、小物類吊り下げ用フックが黄色みを帯びたオレンジ色に変化した場合に、温度がおよそ摂氏３３度以上なったことを示しているので、温度の上昇に気付くのが遅れがちになる高齢者であっても、冷房を強力にするとともに水分を補給するなど適切な対応をとることができる。また外出時においても、カバン類あるいは衣服に取り付けるなど携帯することによって、温度変化を容易に知ることができる。なお、上記のとおり温度が上昇するに従いほぼ黒色に近いオレンジ色から、赤錆色に移行し、さらに赤みを帯びたオレンジ色を経て黄色みを帯びたオレンジ色に移行するが、この色彩の変化は無段階に変化するものであり温度の低下の際には上記とはほぼ逆の色彩の変化を奏する。また、オレンジ色に限られることはなく、黄色、青、緑などの他の色でも好ましい。
【００２８】
発色する温度域は、上記を含み、およそ摂氏１度から１２度、８度から１６度、１１度から１９度、１４度から２３度、１６度から２６度、２２度から３１度、２４度から３３度、２７度から３６、３２度から４１度の任意の発色する温度域にすることができる。もっとも様々な条件によって発色する温度域がこれから外れる場合もあり、また、必ずしもこれらの温度域に限られないことは言うまでもない。なお、この温度域から低温側には外れると徐々に黒色の度合いが多くなり、また、高温度域に外れると本来発色する色が徐々に白色の度合いが多くなるようにすることができる。
【００２９】
基部１２は、ほぼ円形状を呈するリング２０に接続され、リング２０は、収納具３０と接続されている。当該収納具３０は、携帯電話の形状を模したものであり、ほぼ直方体の形状を呈している。また、収納具３０は、第１収納部３１と第２収納部３２に分割することができ、それぞれ、第１収納部３１と第２収納部３２の内部は空所であり、この中に合羽やポンチョなどの雨具３５を折りたたんで収納することができる。なお、孔部３３は、携帯電話におけるイヤホンジャックを模したものであり、この前記孔部３３に、図示しないアクセサリーを取り付けることができる。また、図示しないファスナー付のポーチを収納具として前記リング２０に接続することができる。
【符号の説明】
【００３０】
１０、小物類吊り下げ用フック
１１、フック本体
１２、基部
１３、フック片
２０、リング
３０、収納具
３１、第１収納部
３２、第２収納部
３５、雨具
【図１】
0003195385.tif 000003
【図２】
0003195385.tif 000004
【図３】
0003195385.tif 000005